(57)【要約】      （修正有）【課題】被駆動体の状態を直接目視で確認できなくても、その被駆動体を適正な状態に駆動することができる回転操作装置を提供する。【解決手段】ノーバックチェーン装置に連結されるロッド１６の外周に細目ピッチの雄ネジ１７を形成する。そのロッド１６の雄ネジ１７に螺合してネジ作用でロッド１６の軸方向に移動する指標体２１と、ロッド１６の雄ネジ１７に螺合してネジ作用でロッド１６の軸方向に移動する連動体２３・２４と、連動体２３・２４の周面に当接することでロッド１６に連れ回ることを阻止する回転規制部材３２と、連動体２３・２４を受け止めるストッパー３３・３４とを有する。また、下側支持板３９の長孔４０の縁に指標体２１の表示部位２９が当接することで指標体２１がロッド１６に連れ回ることが阻止される。【選択図】図２
2018123581.tif 000002
【特許請求の範囲】
【請求項１】
被駆動体（８）に回転力を伝達して当該被駆動体（８）を駆動するための回転操作装置であって、
前記被駆動体（８）に連結される円柱形状のロッド（１６）を有していて、そのロッド（１６）の外周には、所定ピッチの雄ネジ（１７）を形成しており、
前記ロッド（１６）の雄ネジ（１７）に螺合する雌ネジ（２０）を形成していて、ネジ作用で前記ロッド（１６）の軸方向に移動する指標体（２１）と、前記ロッド（１６）の雄ネジ（１７）に螺合する雌ネジ（２２）を形成していて、ネジ作用で前記ロッド（１６）の軸方向に移動する連動体（２３）・（２４）と、その連動体（２３）・（２４）の周面に当接することで前記ロッド（１６）に連れ回ろうとする前記連動体（２３）・（２４）の当該回転を阻止する回転規制部材（３２）と、前記ロッド（１６）を支持するベース（１８）に固定していて、前記連動体（２３）・（２４）を受け止めるストッパー（３３）・（３４）と、前記指標体（２１）に当接することで前記ロッド（１６）に連れ回ろうとする前記指標体（２１）の当該回転を阻止する回転阻止手段とを有しており、
前記連動体（２３）・（２４）が前記ロッド（１６）の軸方向に移動して前記ストッパー（３３）・（３４）に当接したときには前記ロッド（１６）の回転が阻止されることを特徴とする回転操作装置。
【請求項２】
前記ロッド（１６）には、手動用のハンドル（１４）が着脱自在に連結可能になっていることを特徴とする請求項１記載の回転操作装置。
【請求項３】
前記指標体（２１）には、前記ロッド（１６）の径方向に伸びる表示部位（２９）を有しており、
前記ベース（１８）には、前記ロッド（１６）の軸方向に伸びる長孔（４０）を設けている支持板（３９）を取り付けていて、その支持板（３９）の長孔（４０）には、前記表示部位（２９）を前記ロッド（１６）の軸方向に移動可能に嵌め込んでおり、
前記ハンドル（１４）は、一対のかさ歯車（２５）・（２６）を介して前記ロッド（１６）に連結することで、前記支持板（３９）において、そのハンドル（１４）を前記長孔（４０）と同じ側に配置していることを特徴とする請求項２記載の回転操作装置。
【請求項４】
前記回転阻止手段は、前記表示部位（２９）が前記支持板（３９）の長孔（４０）の縁に当接することで、前記指標体（２１）が前記ロッド（１６）に連れ回ろうとすることを阻止する構成にしてあることを特徴とする請求項３記載の回転操作装置。
【発明の詳細な説明】
【技術分野】
【０００１】
本発明は、突き出し窓や外倒し窓などの開閉を行うためのノーバックチェーン装置などの被駆動体を駆動するための回転操作装置に関するものである。
【背景技術】
【０００２】
例えば、突き出し窓を非可逆チェーン（ノーバックチェーン）を用いて開閉操作するものにあっては、特許文献１に示すように、手動用のハンドルをライン軸を介して連係装置の垂直軸に連結し、その連係装置に収納されている非可逆チェーンの先端の係止片を突き出し窓の障子の下端に連結している。
【０００３】
そして、ハンドルを正転方向または逆転方向に回転させることで、それに応じてライン軸を介して連係装置の垂直軸が回転し、その連係装置から非可逆チェーンが繰り出されて障子が開き、または連係装置内に非可逆チェーンが引き込まれて障子が閉じる。
【先行技術文献】
【特許文献】
【０００４】
【特許文献１】特開昭６０−１４４４８３号公報
【発明の概要】
【発明が解決しようとする課題】
【０００５】
前記突き出し窓は、通常、建物の高い位置に配置されるために、前記連係装置は突き出し窓から離れた位置（例えば低い位置）に配置されることになる（特許文献１の第１図参照）。かかる窓を開閉する操作者は、窓の開閉状態を目視で確認しながらハンドルを操作することになるが、その操作者は窓から離れた位置にいる分だけ窓の開閉状態を正確に把握することが困難である。
【０００６】
その結果、ハンドルを適正な回数まで回転できていないために障子が完全には閉じておらず、それによって風雨が建物内に侵入したり、またはハンドルを過剰に回し過ぎて障子が窓枠に強く押し付けられ、その結果、前記障子の故障を招いたりするなどのおそれがある。また、適正な角度まで窓を開いていないために、換気や排煙が適正に行われないといったおそれがある。
【０００７】
本発明は、かかる不都合を解決することを目的として提供されたものであり、被駆動体の状態を直接目視で確認できなくても、その被駆動体を適正な状態に駆動することができる回転操作装置を提供することにある。
【課題を解決するための手段】
【０００８】
本発明は、かかる不都合を解決するために、被駆動体８に回転力を伝達して被駆動体８を駆動するための回転操作装置であって、被駆動体８に連結される円柱形状のロッド１６を有していて、ロッド１６の外周には、所定ピッチの雄ネジ１７を形成しており、ロッド１６の雄ネジ１７に螺合する雌ネジ２０を形成していて、ネジ作用でロッド１６の軸方向に移動する指標体２１と、ロッド１６の雄ネジ１７に螺合する雌ネジ２２を形成していて、ネジ作用でロッド１６の軸方向に移動する連動体２３・２４と、連動体２３・２４の周面に当接することでロッド１６に連れ回ろうとする連動体２３・２４の回転を阻止する回転規制部材３２と、ロッド１６を支持するベース１８に固定していて、連動体２３・２４を受け止めるストッパー３３・３４と、指標体２１に当接することでロッド１６に連れ回ろうとする指標体２１の回転を阻止する回転阻止手段とを有しており、連動体２３・２４がロッド１６の軸方向に移動してストッパー３３・３４に当接したときにはロッド１６の回転が阻止されることを特徴とするものである。
【０００９】
ここでのロッド１６の雄ネジ１７のピッチは、例えば細目ピッチが該当するが、そのピッチは被駆動体８の動作内容などに合わせて任意に設定することができる。連動体２３・２４は、ロッド１６の軸方向から見て六角形状などの多角形状にしたものなどが該当し、前記回転規制部材３２としては、連動体２３・２４の角（かど）が当接するように構成した、ベース１８、または連動体２３・２４を覆うブラケットやカバー４１などが該当する。前記回転阻止手段としては、指標体２１に当接するブラケットや、指標体２１の一部が嵌め込まれるカバー４１やそのカバー４１などを支持する支持板３９に設けた長孔の縁などが該当する。連動体２３・２４およびストッパー３３・３４は、一個ずつ有するものであってもよく、二個ずつ有するものであってもよい。
【００１０】
ロッド１６は、手動用のハンドル１４を着脱自在に連結可能になっているものとすることができる。
【００１１】
具体的には、指標体２１には、ロッド１６の径方向に、例えば突出状に伸びる表示部位２９を有しており、ベース１８には、ロッド１６の軸方向に伸びる長孔４０を設けている支持板３９を取り付けていて、支持板３９の長孔４０には、表示部位２９をロッド１６の軸方向に移動可能に嵌め込んでおり、ハンドル１４は、一対のかさ歯車２５・２６を介してロッド１６に連結することで、支持板３９において、ハンドル１４を長孔４０と同じ側に配置している。
【００１２】
回転阻止手段は、表示部位２９が支持板３９の長孔４０の縁に当接することで、指標体２１がロッド１６に連れ回ろうとすることを阻止する構成にしてある。
【発明の効果】
【００１３】
本発明の回転操作装置は、被駆動体８を駆動するためにロッド１６を回転させると、指標体２１および連動体２３・２４が、ロッド１６に連れ回ることなく、そのロッド１６の回転方向に応じた方向へネジ作用で移動する。そのロッド１６の回転量は指標体２１の位置で確認することができる。
【００１４】
つまり、例えば被駆動体８が窓の障子を開閉するノーバックチェーン装置であれば、その窓が回転操作装置から離れていても、操作者は障子の開閉状態を直接目視などで確認しなくても指標体２１の位置によって把握することができる。それにより、ロッド１６を適正な回数まで回転させて障子を完全に閉じ、それによって風雨が建物内に侵入したり、またはロッド１６を過剰に回し過ぎて障子が窓枠に強く押し付けられ、その結果、前記障子の故障を招いたりすることなどを防止することができる。
【００１５】
しかも、連動体２３・２４がストッパー３３・３４に当接したときにはロッド１６の回転が阻止されるので、そのストッパー３３・３４の位置を適正に調節しておくことで、例えば前述のロッド１６を過剰に回し過ぎて障子の故障を招いたりすることなどを確実に防止することができる。
【００１６】
手動用のハンドル１４が着脱自在に連結可能になっていると、使用しないときは本回転操作装置から外しておくことで、ハンドル１４が誤って操作されてロッド１６が過剰に回ってしまうことを確実に防止することができる。
【００１７】
支持板３９において、ハンドル１４を長孔４０と同じ側に配置していると、操作者は、ハンドル１４を操作しながら同時に表示部位２９によってロッド１６の回転量などを容易に確認することができる。
【００１８】
指標体２１の表示部位２９が支持板３９の長孔４０の縁に当接するようにすると、その支持板３９の長孔４０によって指標体２１の移動をガイドできるとともに、指標体２１がロッド１６に連れ回ろうとすることを確実に阻止することができる。
【図面の簡単な説明】
【００１９】
【図１】本発明に係る回転操作装置を横軸回動窓に適用した場合を示す全体斜視図である。
【図２】本発明に係る回転操作装置の縦断面図である。
【図３】図２のＡ−Ａ線矢視断面図である。
【図４】図２の一部拡大図である。
【図５】図２のＢ−Ｂ線矢視断面図である。
【図６】本発明に係る回転操作装置の正面図である。
【発明を実施するための形態】
【００２０】
本発明に係る回転操作装置を、ノーバックチェーン装置で開閉する横軸回動窓に適用した一実施例を図面に基づいて説明する。前記横軸回動窓は、図１に示すように、窓部２を左右方向に並べた２連１組の連窓として構成しており、オフィスビルディングなどの建物の外壁に形成した開口に取り付けるようになっている。
【００２１】
各窓部２は、建物の外壁に配置してあって方形状に枠組みした窓枠３内に障子４をそれぞれ装着しており、各障子４は、その框５の上部側を軸に建物の内外方向に揺動可能になっている。また各框５の内方には、板ガラス６をそれぞれ装着している。
【００２２】
各窓部２には、障子４の框５や窓枠３の縁に沿って合成ゴムなどからなる止水部材（図示せず）を設けてあり、障子４が全閉姿勢になったときに前記止水部材によって框５と窓枠３（方立７）との間が塞がれるようにしている。窓枠３の建物内部側には、各障子４を開閉するための左右一対のノーバックチェーン装置（被駆動体）８を配置している。
【００２３】
各ノーバックチェーン装置８は、チェーン（プッシュプルチェーン）９を引き出しまたは引き込み可能に構成している。そして、ノーバックチェーン装置８に連結している六角シャフト１０を正転または逆転することで前記チェーン９を引き出しまた引き込むことができる。前記チェーン９の先端部は、障子４の框５の下框５ａに取り付けている。
【００２４】
ノーバックチェーン装置８・８どうしは、ユニバーサルジョイント１１・１１および六角シャフト１０を介して連結しており、一方のノーバックチェーン装置８（図１では右側）は、ユニバーサルジョイント１１・１１および六角シャフト１０を介してべベルギヤボックス１２に連結している。ノーバックチェーン装置８・８は、べベルギヤボックス１２、ユニバーサルジョイント１１および六角シャフト１０を介してハンドルボックス（回転操作装置）１を連結している。
【００２５】
そのハンドルボックス１には、ハンドル１４を着脱自在に連結していて、そのハンドル１４を回転させることで前記六角シャフト１０（ユニバーサルジョイント１１）が回転する。その回転力がノーバックチェーン装置８に伝達されてノーバックチェーン装置８が駆動されることで、チェーン９がノーバックチェーン装置８から引き出され、またはノーバックチェーン装置８内へ引き込まれる。
【００２６】
ハンドルボックス１は、図２に示すように、前記六角シャフト１０（ユニバーサルジョイント１１）を回転駆動する縦長の円柱形状のロッド１６を有している。そのロッド１６の上下方向の中間箇所の外周には、予め設定した所定ピッチ（細目ピッチ）の雄ネジ１７を形成している。ロッド１６は、縦長の長方形状のベースプレート１８に取り付けた上下一対の軸受け１９・１９に回動自在に支持されている。そのベースプレート１８は、例えば建物内の壁面に取り付けられる。
【００２７】
前記ロッド１６には、図２および図３に示すように、当該ロッド１６の雄ネジ１７に螺合する雌ネジ２０を形成していて、ネジ作用でロッド１６の軸方向に移動する指標体２１と、図４および図５に示すように、前記ロッド１６の雄ネジ１７に螺合する雌ネジ２２を形成していて、ネジ作用でロッド１６の軸方向に移動する上下一対の連動体２３・２４とを取り付けている。前記ロッド１６の一端（上端）には、図２および図６に示すように、前記ユニバーサルジョイント１１を連結しており、ロッド１６の他端（下端）には、図２に示すように、互いに噛合する一対のかさ歯車２５・２６のうちの一方のかさ歯車２５を取り付けている。
【００２８】
他方のかさ歯車２６は、手動用のハンドル１４（図６参照）を着脱自在に連結できるハンドル軸２７に取り付けている。そのハンドル軸２７は、ロッド１６に対して垂直になる姿勢でベースプレート１８に回転自在に支持されている。そして、ハンドル軸２７の先端部（図２では左端）にハンドル１４を連結して（図６の状態）、そのハンドル１４を回転させることで、かさ歯車２５・２６を介してロッド１６を回転させることができる。
【００２９】
指標体２１は、図２および図３に示すように、上方（ロッド１６の軸方向）から見て六角形状に形成していて、その指標体２１の上面に指標板２８を固定して一体化させている。その指標板２８には、ロッド１６の径方向（図３では左方向）に突出状に伸びる表示部位２９を有している。また、その指標板２８には、ロッド１６が貫通する貫通孔３０を設けている。
【００３０】
各連動体２３・２４は、図５に示すように、上方（ロッド１６の軸方向）から見て六角形状に形成している。ベースプレート１８には、両連動体２３・２４を覆う回転規制部材３２を固定しており、その回転規制部材３２の上下の側壁３２ａ・３２ｂに各連動体２３・２４の周面の角（かど）が当接することで（図５の状態）、各連動体２３・２４がロッド１６に連れ回ることが阻止され、各連動体２３・２４はロッド１６の回転に応じて上下方向のみに移動する。具体的には、各連動体２３・２４の対向する角どうしの対角線の寸法よりも回転規制部材３２の上下の側壁３２ａ・３２ｂ間の寸法の方が短くなっている。
【００３１】
ベースプレート１８の上下方向の中間には、図２および図４に示すように、上下一対のストッパー３３・３４を固定しており、それらのストッパー３３・３４の間に両連動体２３・２４および回転規制部材３２を配置している。下側の連動体２３の下面および上側の連動体２３の上面での対角位置には、半球形状の凸部３６をそれぞれ設けている（図５参照）。
【００３２】
そして、ロッド１６の回転に応じて下側の連動体２３の凸部３６・３６が下側ストッパー３４に当接し（図４の実線図の状態）、または上側の連動体２４の凸部３６・３６が上側ストッパー３３に当接すると（図４の仮想線図の状態）、それによって下側の連動体２３または上側の連動体２４が移動できなくなって、ロッド１６の回転が阻止される。すなわち、ハンドル１４を回転させることができなくなって、ノーバックチェーン装置８・８に回転力を伝達することができず、各窓部２の障子４の開閉が不可能になる。
【００３３】
このように、下側ストッパー３４や上側ストッパー３３には、凸部３６の頂点のみが接触（点接触）するので（図４参照）、下側の連動体２３が下側ストッパー３４に面接触（密着）して下側ストッパー３４から離れ難くなったり、または上側の連動体２４が上側ストッパー３３に面接触（密着）して上側ストッパー３３から離れ難くなったりすることが抑えられる。
【００３４】
図２に示すように、上側の軸受け１９の前側（図２では左側）および上側ストッパー３３の前側に亘って上側支持板３８を取り付けており、また下側の軸受け１９の前側および下側ストッパー３４の前側に亘って下側支持板３９を取り付けている。なお、支持板３８・３９は、ベースプレート１８に対して平行になるように配置している。
【００３５】
下側支持板３９には、ロッド１６の軸方向（図２では上下方向）へ伸びる縦長の長孔４０を設けていて、その長孔４０に指標体２１の表示部位２９をロッド１６の軸方向（図２では上下方向）へ移動可能に嵌め込んでいる。そして、指標体２１の表示部位２９が下側支持板３９の長孔４０の縁に当接することで、指標体２１がロッド１６に連れ回ることが阻止される。これにより、指標体２１は、ロッド１６の回転に応じて上下方向のみに移動する。
【００３６】
上側支持板３８および下側支持板３９の前面には、ハンドルボックス１を覆うカバー４１を取り付けている。そのカバー４１の前壁４１ａには、前記下側支持板３９の長孔４０に臨む長孔４２を形成している。カバー４１の長孔４２は、下側支持板３９の長孔４０よりも若干小さくなっている。カバー４１の長孔４２および下側支持板３９の長孔４０を介して指標体２１の表示部位２９が露出し、それによって表示部位２９を目視可能になっている（図６参照）。
【００３７】
前記下側支持板３９の下部およびカバー４１の前壁４１ａの下部には、前記ハンドル軸２７が貫通する貫通孔を設けている。つまり、ハンドル１４は、下側支持板３９において、下側支持板３９の長孔４０およびカバー４１の前壁４１ａの長孔４２と同じ側に配置している（図６参照）。
【００３８】
次に、本発明に係るハンドルボックス（回転操作装置）１の作用を説明する。なお、指標体２１の表示部位２９がカバー４１の長孔４２の下端に位置しているときに（図６の状態）、障子４が全閉しているものとする（全閉状態）。その場合、図４の実線図に示すように下側の連動体２３の凸部３６・３６が下側ストッパー３４に当接している。
【００３９】
その全閉状態でハンドル１４を、例えば図６の反時計方向に回転（正転）させると、それに応じてロッド１６が回転して各連動体２３・２４および指標体２１（指標板２８）が上方向へ移動する。その移動に伴ってノーバックチェーン装置８・８からチェーン９・９がそれぞれ引き出されて障子４・４がそれぞれ開かれる。
【００４０】
そして、ハンドル１４の回転によって上側の連動体２４の凸部３６・３６が上側ストッパー３３に当接すると（図４の仮想線図の状態）、ロッド１６の回転が不可能になって、ノーバックチェーン装置８・８からのチェーン９・９の引き出しが停止し、障子４・４の開動作が停止する（全開状態）。
【００４１】
一方、上側の連動体２４の凸部３６・３６が上側ストッパー３３に当接している状態からハンドル１４を、例えば図６の時計方向に回転（逆転）させると、それに応じてロッド１６が回転して各連動体２３・２４および指標体２１（指標板２８）が下方向へ移動する。その移動に伴ってノーバックチェーン装置８・８へチェーン９・９がそれぞれ引き込まれて障子４・４がそれぞれ閉じられる。
【００４２】
そして、ハンドル１４の回転によって下側の連動体２３の凸部３６・３６が下側ストッパー３４に当接すると（図４の実線図の状態）、ロッド１６の回転が不可能になって、ノーバックチェーン装置８・８へのチェーン９・９の引き込みが停止し、障子４・４の閉動作が停止する（全閉状態）。
【００４３】
例えば、障子４・４の開度（開き角度）を換気の場合や排煙の場合などによって変えるときには、ハンドル１４を回転させながらカバー４１の前壁４１ａの長孔４２を介して指標体２１（指標板２８）の表示部位２９を目視する。そして、その表示部位２９が、予め設定した換気の場合の位置や排煙の場合の位置に移動したときにハンドル１４を停止させることで、障子４・４を換気の場合の開度や排煙の場合の開度に開くことができる。
【００４４】
例えば、ベースプレート１８から回転規制部材３２を外して各連動体２３・２４を回してロッド１６に対する各連動体２３・２４の位置を変更することで、ロッド１６の回転可能な範囲を変更することができる。
【００４５】
なお、回転操作装置１としては、前述した構成以外の構成であってもよい。前記説明では、本発明の回転操作装置１を２連１組の連窓（横軸回動窓）に適用したが、本発明は、回転力を伝達することで被駆動体が駆動されるものであれば適用することができる。
【符号の説明】
【００４６】
８  被駆動体
１４  ハンドル
１６  ロッド
１７  ロッドの雄ネジ
１８  ベースプレート
２０  指標体の雌ネジ
２１  指標体
２２  連動体の雌ネジ
２３・２４  連動体
２５・２６  かさ歯車
２９  指標体の表示部位
３２  回転規制部材
３３・３４  ストッパー
３９  下側支持板
４０  下側支持板の長孔
【図１】
2018123581.tif 000003
【図２】
2018123581.tif 000004
【図３】
2018123581.tif 000005
【図４】
2018123581.tif 000006
【図５】
2018123581.tif 000007
【図６】
2018123581.tif 000008